(57)【要約】【課題】装置のサイズを大型化することなく、その表示部を装置本体の予め定めた１箇所以外の場所にも配置できるようにした情報処理装置およびファクシミリ装置を得る。【解決手段】ファクシミリ装置とプリンタを兼用した情報処理装置３１のコードレス電話機子機３４は充電台３３の上に載置されている状態で、その液晶ディスプレイ３５に装置本体の表示部１５と同一の内容が表示される。したがって、情報処理装置３１が高い位置に配置されて装置本体上部に存在する表示部１５の表示内容を確認しにくい場合でも、コードレス電話機子機３４の液晶ディスプレイ３５で同一表示内容を確認することができる。情報処理装置３１はこのような複合機でなく、ファクシミリ装置単体であってもよい。【選択図】図１
2005142711.tif 000002
【特許請求の範囲】
【請求項１】
装置本体と、
この装置本体の所定位置に固定的に配置され、装置本体の状態や装置本体の操作に関する情報を表示する第１の表示部と、
前記装置本体とは分離した状態で配置され、前記第１の表示部に表示する情報と同一の情報を表示する第２の表示部
とを具備することを特徴とする情報処理装置。
【請求項２】
前記第２の表示部は前記装置本体と無線で接続されていることを特徴とする請求項１記載の情報処理装置。
【請求項３】
装置本体と、
この装置本体の所定位置に固定的に配置され、装置本体の状態や装置本体の操作に必要な情報を表示する第１の表示部と、
前記装置本体と無線により接続され、第２の表示部を備えると共に内蔵の充電電池により駆動される送受話器と、
この送受話器を載置した状態で前記充電電池を充電する充電台と、
少なくともこの充電台に前記送受話器が載置されている状態で前記第２の表示部に前記第１の表示部の表示内容と同一の内容を送信する表示内容送信手段
とを具備することを特徴とする情報処理装置。
【請求項４】
前記表示内容送信手段は、前記充電台に前記送受話器が載置されていない状態で送受話器の操作に関する情報を表示内容として送信することを特徴とする請求項３記載の情報処理装置。
【請求項５】
装置本体と、
この装置本体の所定位置に固定的に配置され、装置本体の状態や装置本体の操作に必要な情報を表示する第１の表示部と、
前記装置本体と無線により接続され、第２の表示部を備えると共に内蔵の充電電池により駆動される送受話器と、
この送受話器を載置した状態で前記充電電池を充電する充電台と、
前記第２の表示部の表示内容を選択する表示内容選択スイッチと、
前記充電台に前記送受話器が載置されているときおよび表示内容選択スイッチが前記第１の表示部の表示内容を選択したとき前記第２の表示部に前記第１の表示部の表示内容と同一の内容を送信し、前記充電台に前記送受話器が載置されておらず、かつ前記第１の表示部の表示内容を選択しないとき前記送受話器の操作に関する情報を表示内容として送信する表示内容送信手段
とを具備することを特徴とする情報処理装置。
【請求項６】
装置本体と、
この装置本体の所定位置に固定的に配置され、装置本体の状態や装置本体の操作に必要な情報を表示する第１の表示部と、
前記装置本体と無線により接続され、第２の表示部を備えると共に内蔵の充電電池により駆動される送受話器と、
この送受話器を載置した状態で前記充電電池を充電する充電台と、
前記第２の表示部の表示内容を選択する表示内容選択スイッチと、
前記充電台に前記送受話器が載置されているときおよび表示内容選択スイッチが前記第１の表示部の表示内容を選択したとき前記第２の表示部に前記第１の表示部の表示内容と同一の内容を送信し、前記充電台に前記送受話器が載置されておらず、かつ前記第１の表示部の表示内容を選択しないとき前記送受話器の操作に関する情報を表示内容として送信する表示内容送信手段
とを具備することを特徴とするファクシミリ装置。
【発明の詳細な説明】
【技術分野】
【０００１】
本発明は、プリンタ、スキャナ、ファクシミリ装置等の情報処理装置および単独のファクシミリ装置に係わり、特に液晶ディスプレイ等の表示部を備えた情報処理装置およびファクシミリ装置に関する。
【背景技術】
【０００２】
コンピュータの急速な普及と共に、その周辺機器の発達も著しいものがある。これと共に、プリンタ、スキャナ、ファクシミリ装置、複写機のような情報処理装置の共通の機能あるいはハードウェアに着目して、これらの複数を１台の装置としてまとめた複合機（ＭＦＰ：Multi-Function Product/Printer/Peripheral）の開発も活発に行われている。このような複合機は、幾つかの周辺機器をまとめたもので、別々にこれらの周辺機器を設置するよりも設置スペースの節約に効果がある。しかしながら、コンピュータが家庭やより小さな部署単位で活躍するようになると、複合機自体の設置スペースが必ずしも十分確保されるとは限らず、複合機であってもその小型化が強く要請されることが多い。
【０００３】
以上、複合機を主として説明したが、情報処理装置全般に小型化が要請されており、少ない設置スペースの中で装置を設置でき、かつそれらのディスプレイを操作者に見やすい位置に配置することが装置の開発の上で大きな問題となっている。特に、複合機では単一の機能の装置と比べて機能が複雑化している分だけ装置の操作が複雑化しているのが通常であり、各種の設置環境を考えながらディスプレイの配置場所の考察が行われている。
【０００４】
図６は、従来の情報処理装置の一例を表わしたものである。この情報処理装置１１は、ファクシミリ装置とプリンタを兼用した複合機となっている。その装置本体１２の左側面には、電話機として使用するための有線送受話器１３がセットされている。装置本体の上部には、図示しない原稿を装置内に送り込むための送信トレイ１４と、表示部１５を備えた操作板１６とが配置されている。装置本体１２の内部には、送信トレイ１４から送られてきた原稿を読み取る図示しない読取部や、画像のプリントを行うプリント機構やファクシミリ通信を行うための通信制御部ならびにプリント情報を受信して印字のための処理を行う印字制御部が配置されている。情報処理装置１１をファクシミリ装置として使用して原稿の送信を行う場合には、読取部で読み取った画像情報が図示しない電話回線を使用して相手先に送信される。また、ファクシミリ装置として原稿の画像を受信した場合にはプリント機構が用紙１７にこれをプリントして排出トレイ１８に排出するようになっている。プリンタとしてプリント情報を受信した場合には、プリント機構が用紙１７にプリント情報をプリントし、排出トレイ１８に排出する。
【０００５】
このような従来の情報処理装置１１では表示部１５が装置本体１２の上面に上側を向いて配置されている。したがって、比較的低い高さのテーブル等に装置本体１２を設置した場合には、操作者が目線を下側に向けて表示部１５を見ることができ、表示内容を容易に認識することができる。しかしながら、図示しないパーソナルコンピュータを跨ぐように配置したラックの上にこの情報処理装置１１を配置したような場合には、操作者が起立したり、更には図示しない腰掛の上に立たない限り、表示部１５を見下ろすことができず、表示内容を判読しにくいといった問題が生じる。
【０００６】
そこで、表示と操作を行うための表示操作ユニットを、ファクシミリ装置の複数の位置に選択的に着脱自在に装着できるようにして、表示部の表示内容を判読しやすくする提案（たとえば特許文献１）が行われている。この提案では、ファクシミリ装置の装置本体側に、表示操作ユニットを嵌め込めるサイズの凹部や、表示操作ユニットを装置本体から出っ張った状態で保持するための取付穴を配置しておき、これらのうちの最も適する場所に表示操作ユニットを配置するようにしている。
【０００７】
【特許文献１】実開昭６０−１０１８６３号公報（図１〜図３）
【発明の開示】
【発明が解決しようとする課題】
【０００８】
この提案では、表示操作ユニットを装置本体の複数の所定位置に配置できるようにしているので、ファクシミリ装置の設置場所や向き等に応じて表示操作ユニットを配置する位置を選択することができる。たとえば図６に示したような例の場合には、表示操作ユニットを装置本体１２の前面に取り付け直すことで表示内容を見やすくするようにしている。
【０００９】
しかしながら、表示操作ユニットは表示のための信号線や電源線等の配線で装置本体と接続されるようになっている。したがって、装置本体に表示操作ユニットを配置できる場所を多く確保すればするほど、これらの配線をそれぞれの場所に張り巡らす必要があり、装置本体内部の配線が複雑化するという問題があった。また、配線を接続するためのコネクタが装置本体の外部から見える位置に露出するため、概観を損なうという問題もあった。
【００１０】
更に、表示操作ユニットを嵌め込む穴を配置すると、この部分に表示操作ユニットを嵌め込まない場合に装置本体が相対的に大きなサイズとなり、また、装置本体の外側に飛び出す形で表示操作ユニットを取り付ける場合には、その部分だけ外形サイズが大型化する。このように、この提案を採用すると、いずれの場合にも情報処理装置の小型化を図ることができない。
【００１１】
そこで本発明の目的は、装置のサイズを大型化することなく、その表示部を装置本体の予め定めた１箇所以外の場所にも配置できるようにした情報処理装置およびその１つとしてのファクシミリ装置を提供することにある。
【課題を解決するための手段】
【００１２】
請求項１記載の発明では、（イ）装置本体と、（ロ）この装置本体の所定位置に固定的に配置され、装置本体の状態や装置本体の操作に関する情報を表示する第１の表示部と、（ハ）装置本体とは分離した状態で配置され、第１の表示部に表示する情報と同一の情報を表示する第２の表示部とを情報処理装置に具備させる。
【００１３】
すなわちこの発明では、装置本体に備えられた第１の表示部に表示する情報と同一の情報を、装置本体とは分離した状態で配置された第２の表示部に表示することにしたので、情報処理装置を購入したときとは異なった場所に設置した場合であっても、いずれかの表示部で見やすい表示を確保する可能性が高く、装置を設置する場所を選ばないという利点がある。また、表示部が１つの場合と比べて、ハードウェアの故障に対して表示の信頼性が高くなるという利点がある。
【００１４】
請求項２記載の発明では、第２の表示部は装置本体と無線で接続されていることを特徴としているが、有線であっても構わない。
【００１５】
請求項３記載の発明では、（イ）装置本体と、（ロ）この装置本体の所定位置に固定的に配置され、装置本体の状態や装置本体の操作に必要な情報を表示する第１の表示部と、（ハ）装置本体と無線により接続され、第２の表示部を備えると共に内蔵の充電電池により駆動される送受話器と、（ニ）この送受話器を載置した状態で充電電池を充電する充電台と、（ホ）少なくともこの充電台に送受話器が載置されている状態で第２の表示部に第１の表示部の表示内容と同一の内容を送信する表示内容送信手段とを情報処理装置に具備させる。
【００１６】
すなわちこの発明では、ファクシミリ装置のような送受話器を備えた情報処理装置に関するもので、充電台に送受話器が載置されている状態、すなわち送受話器がその本来の機能で使用されていない状態のとき、第２の表示部に第１の表示部の表示内容と同一の内容を送信し表示させることにしている。これにより、第２の表示部の有効活用を図ることができる。
【００１７】
請求項４記載の発明では、請求項３記載の発明で、充電台に送受話器が載置されていない状態で送受話器本来の必要とする情報を第２の表示部に表示することで、送受話器の操作性の向上を図っている。
【００１８】
請求項５記載の発明では、（イ）装置本体と、（ロ）この装置本体の所定位置に固定的に配置され、装置本体の状態や装置本体の操作に必要な情報を表示する第１の表示部と、（ハ）装置本体と無線により接続され、第２の表示部を備えると共に内蔵の充電電池により駆動される送受話器と、（ニ）この送受話器を載置した状態で充電電池を充電する充電台と、（ホ）第２の表示部の表示内容を選択する表示内容選択スイッチと、（へ）充電台に送受話器が載置されているときおよび表示内容選択スイッチが第１の表示部の表示内容を選択したとき第２の表示部に第１の表示部の表示内容と同一の内容を送信し、充電台に送受話器が載置されておらず、かつ第１の表示部の表示内容を選択しないとき送受話器の操作に関する情報を表示内容として送信する表示内容送信手段とを情報処理装置に具備させる。
【００１９】
すなわちこの発明では、充電台に送受話器が載置されていない状態でも表示内容選択スイッチの設定内容によっては、第１の表示部の表示内容と同一の内容を第２の表示部に表示するようにしている。これにより、第２の表示部を充電台以外の場所に配置しても、第１の表示部の表示内容をこれに表示することができるので、より適切な部位で表示内容を確認することができるようになる。
【００２０】
請求項６記載の発明では、（イ）装置本体と、（ロ）この装置本体の所定位置に固定的に配置され、装置本体の状態や装置本体の操作に必要な情報を表示する第１の表示部と、（ハ）装置本体と無線により接続され、第２の表示部を備えると共に内蔵の充電電池により駆動される送受話器と、（ニ）この送受話器を載置した状態で充電電池を充電する充電台と、（ホ）第２の表示部の表示内容を選択する表示内容選択スイッチと、（へ）充電台に送受話器が載置されているときおよび表示内容選択スイッチが第１の表示部の表示内容を選択したとき第２の表示部に第１の表示部の表示内容と同一の内容を送信し、充電台に送受話器が載置されておらず、かつ第１の表示部の表示内容を選択しないとき送受話器の操作に関する情報を表示内容として送信する表示内容送信手段とをファクシミリ装置に具備させる。
【００２１】
すなわちこの発明では、単体のファクシミリ装置であっても請求項５記載の発明と同様の効果を得ることができる。
【発明の効果】
【００２２】
本発明では、プリンタ、スキャナ等の各種の装置を複合した情報処理装置あるいはファクシミリ装置にあらかじめ備えられている第１の表示部の他に、第１の表示部と同一の内容を表示する第２の表示部を装置本体とは分離した状態で配置することにした。このため、情報処理装置あるいはファクシミリ装置を配置した態様に沿って、見やすい表示部を使用して必要な情報を取得することができる。しかも装置本体側に第１の表示部が固定的に配置されているので、第２の表示部の電源が一時的に切れたり一時的に第２の表示部自体を紛失するような場合があっても、装置としての必要な表示を常に確保することができる。更に本発明では第２の表示部を装置本体の前面に配置する等によって装置本体の占めるスペースを狭めることができ、空間を有効に活用することができる。
【発明を実施するための最良の形態】
【００２３】
以下実施例につき本発明を詳細に説明する。
【実施例】
【００２４】
図１は本発明の一実施例における情報処理装置の外観を表わしたものである。この情報処理装置３１は図６に示した情報処理装置１１と同様にファクシミリ装置とプリンタを兼用した複合機となっている。そこで、図１で図６と同一部分には同一の符号を付しており、これらの説明を適宜省略することにする。本実施例の装置本体３２では、その上部に図示しない原稿を装置内に送り込むための送信トレイ１４と、表示部１５を備えた操作板１６とが配置されており、これらの点は図６に示した情報処理装置１１と変わりない。装置本体３２の図で左側の側部には、図６に示した有線送受話器１３が配置されておらず、代わりに装置本体３２の前面の左側に配置された充電台３３の上にコードレス電話機子機３４が載置されている。コードレス電話機子機３４は、基本的には図６に示した有線送受話器１３の機能を果たすものであり、各種の視覚的な表示を行うための液晶ディスプレイ３５とスピーカ３６およびマイクロフォン３７を備えている。
【００２５】
図２は、本実施例の情報処理装置の回路構成の概要を表わしたものである。情報処理装置３１は、その装置本体３２内に直流電源を供給するための直流電源部４１を備えている。直流電源部４１は、図示しないＣＰＵ（中央処理装置）や制御プログラムを格納したＲＯＭ（リード・オンリ・メモリ）およびＲＡＭ（ランダム・アクセス・メモリ）を備えた本体制御部４２ならびに充電部４３に所定の電圧の直流電源を供給するようになっている。なお、装置本体３２の他の部分には、図示しない電源から直流電圧あるいは交流電圧の電源が供給されているが、本発明の説明に直接関係しないので、これらの図示および説明を省略する。本体制御部４２は、読取部４４と、プリンタとしての機能を備えた記録部４５と、表示部１５の制御を行う表示部制御部４６と、本体側コードレス通信部４７ならびに子機検出センサ４８が接続されている。充電台３３には、子機検出センサ４８が配置されており、コードレス電話機子機３４が充電台３３上に載置されているかどうかの検出を行うようになっている。そして、検出の有無に応じて発信するデータの内容を切り替えるようになっている。
【００２６】
本体側コードレス通信部４７は、コードレス電話機子機３４との間で無線による通信を行うようになっている。コードレス電話機子機３４は、この本体側コードレス通信部４７と無線通信を行う子機側コードレス通信部５１と、各種情報を表示するための液晶ディスプレイ３５と、この液晶ディスプレイ３５の表示制御を行うコードレス子機表示制御部５２と、スピーカ３６およびマイクロフォン３７を備えている。
【００２７】
ところで、情報処理装置３１は、すでに説明したようにＣＰＵを備えており、ＲＯＭに格納された制御プログラムに従って本体側コードレス通信部４７に、コードレス電話機子機３４の液晶ディスプレイ３５で表示する情報を送出するようにしている。本体側コードレス通信部４７は子機側コードレス通信部５１に対してこの情報を無線で送信することになる。
【００２８】
図３は、本実施例の本体制御部が本体側コードレス通信部に送出する表示情報の制御の様子を表わしたものである。図１および図２と共にこの制御の様子を説明する。本体制御部４２は、子機検出センサ４８がコードレス電話機子機３４を検出しているとき、すなわちコードレス電話機子機３４が充電台３３に載置されているときには（ステップＳ１０１：Ｙ）、表示部制御部４６を介して表示部１５に表示する情報処理装置３１の各種表示内容をそのまま本体側コードレス通信部４７に送出する（ステップＳ１０２）。従って、この状態では図１に示した表示部１５とコードレス電話機子機の液晶ディスプレイ３５の双方に、情報処理装置３１の状態等を示す同一の情報が表示される。このため、情報処理装置３１が比較的低い位置に配置されている場合、操作者は表示部１５を見下ろすように見ることになる一方、比較的高い位置に配置された場合には情報処理装置３１の前面側からコードレス電話機子機の液晶ディスプレイ３５の表示内容を見ることになる。このようにして、情報処理装置３１の設置されている高さに応じて表示部１５あるいは液晶ディスプレイ３５を使い分けて、見やすい方で表示内容を見ることができる。
【００２９】
これに対して、ステップＳ１０１で子機検出センサ４８がコードレス電話機子機３４を検出していないと判別された場合（Ｎ）、すなわち操作者がコードレス電話機子機３４を用いて発信操作を行ったり通話を行うような場合には、コードレス電話機子機３４の本来の使用のために有益な表示内容を本体制御部４２が本体側コードレス通信部４７に送出することになる（ステップＳ１０３）。
【００３０】
＜本発明の第１の変形例＞
【００３１】
図４は、本発明の第１の変形例としての充電台の外観を表わしたものである。この変形例の充電台３３Ａは、その上部に図１に示したコードレス電話機子機３４に対して充電用の電力を供給する充電端子部６１が配置されている。また、充電台３３Ａの前面には通話と表示を切り替える通話・表示切替ボタン６２が配置されている。この変形例では操作者が通話・表示切替ボタン６２をオンまたはオフすることで、コードレス電話機子機３４を充電台３３Ａから離した状態で通話可能な通話モードにするか、表示部１５（図１）の表示内容を継続して表示する装置表示モードにするかを切り替えることができるようになっている。
【００３２】
図５は、第１の変形例における本体制御部が本体側コードレス通信部に送出する表示情報の制御の様子を表わしたものである。図１、図２および図４と共にこの制御の様子を説明する。本体制御部４２は、子機検出センサ４８がコードレス電話機子機３４を検出しているとき、すなわちコードレス電話機子機３４が充電台３３Ａに載置されているときには（ステップＳ１２１：Ｙ）、表示部制御部４６を介して表示部１５に表示する情報処理装置３１の各種表示内容をそのまま本体側コードレス通信部４７に送出する（ステップＳ１２２）。これにより、コードレス電話機子機３４が充電台３３Ａ上に載置されている状態では、通話・表示切替ボタン６２のオン、オフに関わらず、表示部１５に表示する内容がそのまま液晶ディスプレイ３５に表示される。この点は先の実施例と同一である。
【００３３】
これに対して、ステップＳ１２１で子機検出センサ４８がコードレス電話機子機３４を検出していないと判別された場合（Ｎ）、すなわち操作者がコードレス電話機子機３４を充電台３３Ａから取り外している場合、本体制御部４２はこれに接続された通話・表示切替ボタン６２がオンとなっているかどうかを判別する（ステップＳ１２３）。オンになっていない場合には（Ｎ）、先の実施例と同様にコードレス電話機子機３４を用いた発信等の操作が行われるものとして、コードレス電話機子機３４の本来の使用のために有益な表示内容を本体制御部４２が本体側コードレス通信部４７に送出する（ステップＳ１２４）。
【００３４】
これに対して、ステップＳ１２３の操作で通話・表示切替ボタン６２がオンとなっていると判別された場合（Ｙ）、本体制御部４２は表示部制御部４６を介して表示部１５に表示する情報処理装置３１の各種表示内容をそのまま本体側コードレス通信部４７に送出する（ステップＳ１２５）。すなわち、コードレス電話機子機３４が充電台３３Ａから取り外されても、依然として表示部１５に表示する内容がそのまま液晶ディスプレイ３５に表示されることになる。
【００３５】
このように変形例の情報処理装置では操作者が通話・表示切替ボタン６２をオンにしている限り、表示部１５に表示する内容がそのまま液晶ディスプレイ３５に表示される。したがって、用紙のジャムが生じたような場合や、情報処理装置３１の設置の態様によって表示部１５に表示する内容が見にくいような場合には、通話・表示切替ボタン６２をオンにしてコードレス電話機子機３４を装置本体３２の周囲の適切な位置に配置し、液晶ディスプレイ３５の内容を見ることができる。この際、コードレス電話機子機３４の充電状態を液晶ディスプレイ３５に本来の表示内容と併せて、あるいは別の表示手段によって表示してもよい。これにより、電池切れの生じる前にコードレス電話機子機３４を充電台３３Ａに戻して充電を行うことができる。
【００３６】
＜本発明の第２の変形例＞
【００３７】
以上説明した実施例および第１の変形例では、本来、ファクシミリ装置に備わっている送受話器を無線用のものとし、更にディスプレイを配置してこれに表示部１５と同一の情報を表示することにしたが、これに限るものではない。たとえばページャのような形状の装置本体と通信が可能なディスプレイ装置を用意し、これに表示用のデータを有線または無線で送信するようにしてもよい。ディスプレイ装置が無線通信を行う装置の場合には、必要に応じて充電台等の手段によって充電が行われるようにしてもよい。
【００３８】
なお、実施例では液晶ディスプレイを表示に使用したが、有機ＥＬ（electroluminescence）ディスプレイ等の他のディスプレイを使用してもよいことはもちろんである。また、実施例ではファクシミリ装置とプリンタを兼用した情報処理装置を例にとって説明したが、情報処理装置の種類は特に限られるものではなく、複合機に限定されないことも当然である。たとえば、ファクシミリ装置単体に本発明を適用することができ、この場合にも従来、装置本体の側部に配置していた送受話器を装置本体の前面に配置することができるので、より狭いスペースに装置を設置できるようになる。
【図面の簡単な説明】
【００３９】
【図１】本発明の一実施例における情報処理装置の外観を表わした斜視図である。
【図２】本実施例の情報処理装置の回路構成の概要を表わしたブロック図である。
【図３】本実施例で本体制御部が本体側コードレス通信部に送出する表示情報の制御の様子を表わした流れ図である。
【図４】本発明の第１の変形例としての充電台の外観を表わした斜視図である。
【図５】第１の変形例における本体制御部が本体側コードレス通信部に送出する表示情報の制御の様子を表わした流れ図である。
【図６】従来の情報処理装置の一例の外観を表わした斜視図である。
【符号の説明】
【００４０】
１５  表示部
３１  情報処理装置
３２  装置本体
３３、３３Ａ  充電台
３４  コードレス電話機子機
３５  液晶ディスプレイ
４２  本体制御部
４７  本体側コードレス通信部
４８  子機検出センサ
５１  子機側コードレス通信部
６２  通話・表示切替ボタン
【図１】
2005142711.tif 000003
【図２】
2005142711.tif 000004
【図３】
2005142711.tif 000005
【図４】
2005142711.tif 000006
【図５】
2005142711.tif 000007
【図６】
2005142711.tif 000008